(57)【要約】【課題】  優れた通気性と緩衝効果を具えた弾性パッドを提供する。【解決手段】  少なくとも３本以上の弾性部材を排列し、接続して形成し、該弾性部材は長い棒状を呈し、互いに隣接して凸部と凹部とを具えてなり、凸部の突出した部分と、凹部の凹んだ部分とが長手方向に垂直な方向で交互になるように、弾性部材の凸部に弾性部材の凹部が隣接するように弾性部材を排列して形成する。【選択図】  図４
0003129286.tif 000002
【実用新案登録請求の範囲】
【請求項１】
少なくとも３本以上の弾性部材を排列し、接続して形成し、
該弾性部材は長い棒状を呈し、互いに隣接して凸部と凹部とを具えてなり、凸部の突出した部分と、凹部の凹んだ部分とが長手方向に垂直な方向で交互になるように、弾性部材の凸部に弾性部材の凹部が隣接するように弾性部材を排列して形成することを特徴とする弾性パッド。
【請求項２】
前記弾性部材は、長い棒状を呈し、長手方向に垂直な面が矩形、円形、楕円形、三角形、五角形、六角形、八角形に形成されることを特徴とする請求項１に記載する弾性パッド。
【請求項３】
前記弾性部材は、凸部の突出した部分が弧を描くように形成し、凹部の凹んだ部分が下方に弧を描くように形成することを特徴とする請求項１に記載する弾性パッド。
【請求項４】
前記弾性部材は、凸部の突出した部分が歯のような台形を描くように形成し、凹部の凹んだ部分が下方に突出した歯のような台形を描くように形成することを特徴とする請求項１に記載する弾性パッド。
【請求項５】
前記弾性部材は排列して接続し、隣接する弾性部材が接触する部分を共用する部分とすることを特徴とする請求項１に記載の弾性パッド。
【請求項６】
前記弾性部材は１本の長い棒状の接続部材を共用の部分として排列した隣接する弾性部材を接続して形成することを特徴とする請求項１に記載の弾性パッド。
【請求項７】
前記排列し、接続した複数の弾性部材と一本の共用の端縁部とを含んでなり、該端縁部が弾性部材の周囲を囲むように設けることを特徴とする請求項５に記載の弾性パッド。
【考案の詳細な説明】
【技術分野】
【０００１】
この考案は、弾性パッドに関し、特にリュックサックのショルダーベルトや手提げ袋の手提げに設ける弾性パッドに関する。
【背景技術】
【０００２】
日常生活や、仕事において、リュックサックは、通常、ショルダーベルトを肩にかけて移動し、手提げ袋は手提げ部分を手に持って移動する。また、スポーツではゴルフの場合、ゴルフコースを回る時にゴルフバッグのショルダーベルトを肩にかけて移動する。
【０００３】
従来の一般的なショルダーベルトや、ベルトパッドはいずれも大型で平らな帯状に形成されている。使用する場合、ショルダーベルト、或いはベルトパッドを体の肩の部分にかける。前述のようなベルトと肩の接触は肩にかかる負担を適宜に分散することができる。
【０００４】
しかしながら、通気性には優れず、緩衝効果も好ましくない。また、比較的長時間背負うと、ショルダーベルトが肩に接触する部分の面積が大きいため、肩に負担がかかり、体調が悪くなり、肩がこる。
【考案の開示】
【考案が解決しようとする課題】
【０００５】
この考案は、優れた通気性と緩衝効果を具えた弾性パッドを提供することを課題とする。
【課題を解決するための手段】
【０００６】
そこで、本考案者は従来の技術に見られる欠点に鑑みて鋭意研究を重ねた結果、少なくとも３本以上の弾性部材を排列し、接続して形成し、該弾性部材は長い棒状を呈し、互いに隣接して凸部と凹部とを具えてなり、凸部の突出した部分と、凹部の凹んだ部分とが長手方向に垂直な方向で交互になるように、弾性部材の凸部に弾性部材の凹部が隣接するように弾性部材を排列して形成する構造からなる弾性パッドによって課題を解決できる点に着眼し、かかる知見に基づいて本考案を完成させた。
【０００７】
以下、この考案について具体的に説明する。
請求項１に記載の少なくとも３本以上の弾性部材を排列し、接続して形成し、
該弾性部材は長い棒状を呈し、互いに隣接して凸部と凹部とを具えてなり、凸部の突出した部分と、凹部の凹んだ部分とが長手方向に垂直な方向で交互になるように、弾性部材の凸部に弾性部材の凹部が隣接するように弾性部材を排列して形成する。
【０００８】
請求項２に記載の弾性パッドは、請求項１の弾性部材が、長い棒状を呈し、長手方向に垂直な面が矩形、円形、楕円形、三角形、五角形、六角形、八角形に形成される。
【０００９】
請求項３に記載する弾性パッドは、請求項１における弾性部材が、凸部の突出した部分が弧を描くように形成し、凹部の凹んだ部分が下方に弧を描くように形成する。
【００１０】
請求項４に記載する弾性パッドは、請求項１における弾性部材が、凸部の突出した部分が歯のような台形を描くように形成し、凹部の凹んだ部分が下方に突出した歯のような台形を描くように形成する。
【００１１】
請求項５に記載する弾性パッドは、請求項１における弾性部材は排列して接続し、隣接する弾性部材が接触する部分を共用する部分とする。
【００１２】
請求項６に記載の弾性パッドは、請求項１における弾性部材が、１本の長い棒状の接続部材を共用の部分として排列した隣接する弾性部材を接続して形成する。
【００１３】
請求項７に記載の弾性パッドは、請求項５の排列し、接続した複数の弾性部材と一本の共用の端縁部とを含んでなり、該端縁部が弾性部材の周囲を囲むように設ける。
【考案の効果】
【００１４】
この考案による弾性パッドは、優れた通気性と緩衝効果を具えているという効果を有する。
【考案を実施するための最良の形態】
【００１５】
この考案は、優れた通気性と緩衝効果を具えた弾性パッドであって、少なくとも３本以上の弾性部材を排列し、接続して形成し、該弾性部材は長い棒状を呈し、互いに隣接して凸部と凹部とを具えてなり、凸部の突出した部分と、凹部の凹んだ部分とが長手方向に垂直な方向で交互になるように、弾性部材の凸部に弾性部材の凹部が隣接するように弾性部材を排列して形成する構造と特徴を詳述するために具体的な実施例を挙げ、図示を参照にして以下に説明する。
【実施例】
【００１６】
図１は、この考案の第一の弾性部材１１０を示したものである。図面によれば、該弾性部材１１０は、互いに隣接して凸部１１１と凹部１１２が設けられている。図２は、この考案の第二の弾性部材１２０示したものである。図面によれば、該弾性部材１２０は互いに隣接して凸部１２１と凹部１２２とを具えてなる。
【００１７】
図３は、この考案の実施例を示した斜視図である。図面によれば、弾性パッド１００は、４本の弾性部材を排列し、隣接する弾性部材が接触する部分を共用する部分として接続して形成する。該弾性パッド１００は、一体成型、貼着、はんだ接続、溶接などの方法か、或いは前述の方法を複数組み合わせて形成してもよいが、前述の方法に限定しない。また、弾性パッド１００を形成する場合、凸部１１１、１２１の突出した部分と、凹部１１２、１２２の凹んだ部分とが長手方向に垂直な方向で交互になるように形成する。即ち、弾性部材１２０の凸部１２１と弾性部材１１０の凹部１１２が隣接するように排列する。該弾性部材１１０、１２０は、長い棒状に形成し、長手方向に垂直な面が矩形に形成される。また、凸部１１１、１２１は突出した部分が弧を描くように形成し、該凹部１１２、１２２は凹んだ部分が下方に弧を描くように形成する。
【００１８】
図４は、この考案の別の実施例を示した立体図である。弾性パッド２００は弾性部材から形成する部分を上述の実施例と同様に、４本の弾性部材を排列して連接して形成する。該弾性部材は隣接する弾性部材が接触する部分を共用の部分として弾性パッドを形成する。該弾性パッド２００は一体成型、貼着、はんだ接続、溶接等の方法か、或いは前述の方法を複数組み合わせて形成してもよいが、前述の方法に限定しない。該弾性パッド２００は接続された弾性部材と、端縁部２０１とを接続して形成する。該端縁部２０１は、弾性部材の周囲を片状に囲むように設ける。
【００１９】
図５から図７は、この考案のもう一つの実施例を示したものである。図５は、この考案のもう一つの実施例の第一の弾性部材３１０の立体図を示したものである。図面によれば、該弾性部材３１０は、互いに隣接した凸部３１１と凹部３１２とを具えてなる。図６は、この考案のもう一つの実施例の第二の弾性部材３２０を示したものである。図面によれば、該弾性部材３２０は、互いに隣接した凸部３２１と凹部３２２とを具えてなる。
【００２０】
図７は、この考案のもう一つの実施例を示したものである。図面によれば、弾性パッド３００は、３本の弾性部材を排列し、接続して形成する。該弾性パッド３００は、弾性部材を一体成型、貼着、はんだ接続、溶接等の方法か、或いは前述の方法を複数組み合わせて形成してもよい（但し、前述の方法に限らない）。弾性パッド３００を形成する場合、凸部３１１、３２１の突出した部分と、凹部３１２、３２２の凹んだ部分とが長手方向に垂直な方向で交互になるように形成する。即ち、弾性部材３１０の凸部３１１に弾性部材３２０の凹部３２２が隣接するように排列する。また、該弾性部材３１０、３２０は長い棒状に形成し、長手方向に垂直な面が矩形に形成される。該凸部３１１、３２１は突出した部分が歯のような台形を描くように形成し、該凹部３１２、３２２は凹んだ部分が下方に突出した歯のような台形を描くように形成する。
【００２１】
図８から図１０は、この考案のもう一つ別の実施例を示したものである。図８は、この考案のもう一つ別の実施例の第一の弾性部材４１０を示したものである。図面によれば、弾性部材４１０は互いに隣接して凸部４１１と凹部４１２が設けられている。図９は、この考案のもう一つ別の実施例の第二の弾性部材４２０の立体図を示したものである。図面によれば、該弾性部材４２０は互いに隣接して凸部４２１と凹部４２２とを具えてなる。
【００２２】
図１０は、この考案のもう一つ別の実施例の弾性パッド４００を示したものである。図面によれば、該弾性パッド４００は、８本の弾性部材を排列し、接続して形成する。該弾性部材は隣接する弾性部材が接触する部分を共用の部分として弾性パッドを形成する。該弾性パッド４００は、１本の長い棒状の接続部材４３０を共用の部分として隣接する弾性部材を接続して形成する。該弾性パッド４００は一体成型、貼着、はんだ接続、溶接等の方法か、或いは前述の方法を複数組み合わせて形成してもよいが、前述の方法に限定しない。該弾性パッド４００を形成する場合、凸部４１１、４２１の突出した部分と、凹部４１２、４２２の凹んだ部分とが長手方向に垂直な方向で交互になるように形成する。即ち、弾性部材４１０の凸部４１１に弾性部材４２０の凹部４２２が隣接するように排列する。該弾性部材４１０、４２０は長い棒状に形成し、長手方向に垂直な面が円形に形成される。また、凸部４１１、４２１は突出した部分が弧を描くように形成し、該凹部４１２、４２２は凹んだ部分が下方に弧を描くように形成する。
【００２３】
この考案の弾性パッドは優れた通気性と緩衝効果を具えてなる。また、弾性部材は長い棒状に形成し、長手方向に垂直な面を楕円形、三角形、五角形、六角形、八角形などに形成してもよく、前述の形状を組み合わせて形成してもよい。また、弾性部材の凸部の突出した部分の形状と、凹部の凹んだ部分の形状は、上述の実施例のように弧状、歯のような台形、その他多角形などに形成するか、前述の形状を組み合わせて形成してもよい。
【００２４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２５】
【図１】この考案の実施例の第一の弾性部材を示した斜視図である。
【図２】この考案の実施例の第二の弾性部材を示した斜視図である。
【図３】この考案の弾性パッドの実施例を示した斜視図である。
【図４】この考案の弾性パッドの別の実施例を示した斜視図である。
【図５】この考案のもう一つの実施例の第一の弾性部材を示した斜視図である。
【図６】この考案のもう一つの実施例の第二の弾性部材を示した斜視図である。
【図７】この考案の弾性パッドのもう一つの実施例を示した斜視図である。
【図８】この考案のもう一つの別の実施例の第一の弾性部材を示した斜視図である。
【図９】この考案のもう一つの別の実施例の第二の弾性部材を示した斜視図である。
【図１０】この考案の弾性パッドのもう一つの別の実施例を示した斜視図である。
【符号の説明】
【００２６】
１００ 弾性パッド
１１０ 弾性部材
１１１ 凸部
１１２ 凹部
１２０ 弾性部材
１２１ 凸部
１２２ 凹部
２００ 弾性パッド
２０１ 端縁部
３００ 弾性パッド
３１０ 弾性部材
３１１ 凸部
３１２ 凹部
３２０ 弾性部材
３２１ 凸部
３２２ 凹部
４００ 弾性パッド
４１０ 弾性部材
４１１ 凸部
４１２ 凹部
４２０ 弾性部材
４２１ 凸部
４２２ 凹部
４３０ 接続部材
【図１】
0003129286.tif 000003
【図２】
0003129286.tif 000004
【図３】
0003129286.tif 000005
【図４】
0003129286.tif 000006
【図５】
0003129286.tif 000007
【図６】
0003129286.tif 000008
【図７】
0003129286.tif 000009
【図８】
0003129286.tif 000010
【図９】
0003129286.tif 000011
【図１０】
0003129286.tif 000012